(57)【要約】【課題】  光学ファインダを用いた撮影時でも、撮影後に速やかに撮影画像を表示可能とすることを目的とする。【解決手段】  光学ファインダを用いて撮影・クイックレビューを行う際に、画像表示部２８への電源供給後、画像表示部２８への供給電圧が所定電圧Ｖに達した後に、撮影処理を開始することにより、撮影後に画像表示部２８に電源投入を行った場合と比較して、撮影完了〜クイックレビュー画像が表示されるまでの期間が、画像表示部２８における表示安定時間分短縮される。【選択図】  図１
2006109273.tif 000002
【特許請求の範囲】
【請求項１】
撮像した画像のデータを記録媒体に記録する撮像装置であって、
撮像手段と、
メモリと、
表示手段と、
光学ファインダと、
前記撮像手段の出力信号を前記メモリに記憶し、その直後に前記メモリに記憶した画像信号を再生して前記表示手段に表示する再生手段と、
前記表示手段へ電源を供給する表示手段電源供給手段と、
前記表示手段への供給電圧を検出する表示手段電圧検出手段と、
前記光学ファインダを用いた撮影が指示された場合には、前記表示手段電源供給手段による前記表示手段への電源供給開始後、前記表示手段電圧検出手段による電圧値が所定の電圧に達した後に、前記撮像手段による撮影処理を開始する制御手段とを備えたことを特徴とする撮像装置。
【請求項２】
撮像した画像のデータを記録媒体に記録する撮像装置であって、
撮像手段と、
メモリと、
表示手段と、
光学ファインダと、
前記撮像手段の出力信号を前記メモリに記憶し、その直後に前記メモリに記憶した画像信号を再生して前記表示手段に表示する再生手段と、
前記表示手段へ電源を供給する表示手段電源供給手段と、
前記光学ファインダを用いた撮影が指示された場合には、前記表示手段電源供給手段による前記表示手段への電源供給開始後、予め定められた一定時間経過後に、前記撮像手段による撮影処理を開始する制御手段とを備えたことを特徴とする撮像装置。
【請求項３】
前記一定時間とは、前記表示手段電源供給手段による前記表示手段への電源供給開始後、前記表示手段への供給電圧が所定の電圧に達するのに十分な時間であることを特徴とする請求項２に記載の撮像装置。
【請求項４】
撮像した画像のデータを記録媒体に記録する撮像装置であって、
撮像手段と、
表示手段と、
前記撮像手段へ電源を供給する撮像手段電源供給手段と、
前記表示手段へ電源を供給する表示手段電源供給手段と、
前記表示手段への供給電圧を検出する表示手段電圧検出手段と、
前記表示手段へのスルー画像表示が指示された場合には、前記表示手段電源供給手段による前記表示手段への電源供給開始後、前記表示手段電圧検出手段による電圧値が所定の電圧に達した後に、前記撮像手段電源供給手段による前記撮像手段への電源供給を開始し、前記表示手段電源供給手段による前記表示手段への電源供給開始後、予め定められた一定時間経過後に、前記表示手段へのスルー画像表示を開始する制御手段とを備えたことを特徴とする撮像装置。
【請求項５】
前記一定時間とは、前記表示手段電源供給手段による前記表示手段への電源供給開始後、前記表示手段における表示が安定するのに十分な時間であることを特徴とする請求項４に記載の撮像装置。
【請求項６】
撮像した画像のデータを記録媒体に記録する撮像装置であって、
撮像手段と、
表示手段と、
前記撮像手段へ電源を供給する撮像手段電源供給手段と、
前記表示手段へ電源を供給する表示手段電源供給手段と、
前記表示手段へのスルー画像表示が指示された場合には、前記表示手段電源供給手段による前記表示手段への電源供給開始後、予め定められた第１の一定時間経過後に、前記撮像手段電源供給手段による前記撮像手段への電源供給を開始し、前記表示手段電源供給手段による前記表示手段への電源供給開始後、予め定められた第２の一定時間経過後に、前記表示手段へのスルー画像表示を開始する制御手段とを備えたことを特徴とする撮像装置。
【請求項７】
前記第１の一定時間とは、前記表示手段電源供給手段による前記表示手段への電源供給開始後、前記表示手段への供給電圧が所定の電圧に達するのに十分な時間であり、前記第２の一定時間とは、前記表示手段電源供給手段による前記表示手段への電源供給開始後、前記表示手段における表示が安定するのに十分な時間であることを特徴とする請求項６に記載の撮像装置。
【請求項８】
撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段と、前記表示手段への供給電圧を検出する表示手段電圧検出手段とを具備し、撮像した画像のデータを記録媒体に記録する撮像装置を制御する制御方法であって、
前記光学ファインダを用いた撮影が指示された場合には、前記表示手段電源供給手段による前記表示手段への電源供給開始後、前記表示手段電圧検出手段による電圧値が所定の電圧に達した後に、前記撮像手段による撮影処理を開始する手順を有することを特徴とする撮像装置の制御方法。
【請求項９】
撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段とを具備し、撮像した画像のデータを記録媒体に記録する撮像装置を制御する制御方法であって、
前記光学ファインダを用いた撮影が指示された場合には、前記表示手段電源供給手段による前記表示手段への電源供給開始後、予め定められた一定時間経過後に、前記撮像手段による撮影処理を開始する手順を有することを特徴とする撮像装置の制御方法。
【請求項１０】
撮像手段と、表示手段と、前記撮像手段へ電源を供給する撮像手段電源供給手段と、前記表示手段へ電源を供給する表示手段電源供給手段と、前記表示手段への供給電圧を検出する表示手段電圧検出手段とを具備し、撮像した画像のデータを記録媒体に記録する撮像装置を制御する制御方法であって、
前記表示手段へのスルー画像表示が指示された場合には、前記表示手段電源供給手段による前記表示手段への電源供給開始後、前記表示手段電圧検出手段による電圧値が所定の電圧に達した後に、前記撮像手段電源供給手段による前記撮像手段への電源供給を開始し、前記表示手段電源供給手段による前記表示手段への電源供給開始後、予め定められた一定時間経過後に、前記表示手段へのスルー画像表示を開始する手順を有することを特徴とする撮像装置の制御方法。
【請求項１１】
撮像手段と、表示手段と、前記撮像手段へ電源を供給する撮像手段電源供給手段と、前記表示手段へ電源を供給する表示手段電源供給手段とを具備し、撮像した画像のデータを記録媒体に記録する撮像装置を制御する制御方法であって、
前記表示手段へのスルー画像表示が指示された場合には、前記表示手段電源供給手段による前記表示手段への電源供給開始後、予め定められた第１の一定時間経過後に、前記撮像手段電源供給手段による前記撮像手段への電源供給を開始し、前記表示手段電源供給手段による前記表示手段への電源供給開始後、予め定められた第２の一定時間経過後に、前記表示手段へのスルー画像表示を開始する手順を有することを特徴とする撮像装置の制御方法。
【請求項１２】
撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段と、前記表示手段への供給電圧を検出する表示手段電圧検出手段とを具備し、撮像した画像のデータを記録媒体に記録する撮像装置を制御するコンピュータプログラムであって、
前記光学ファインダを用いた撮影が指示された場合には、前記表示手段電源供給手段による前記表示手段への電源供給開始後、前記表示手段電圧検出手段による電圧値が所定の電圧に達した後に、前記撮像手段による撮影処理を開始する処理をコンピュータに実行させることを特徴とするコンピュータプログラム。
【請求項１３】
撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段とを具備し、撮像した画像のデータを記録媒体に記録する撮像装置を制御するコンピュータプログラムであって、
前記光学ファインダを用いた撮影が指示された場合には、前記表示手段電源供給手段による前記表示手段への電源供給開始後、予め定められた一定時間経過後に、前記撮像手段による撮影処理を開始する処理をコンピュータに実行させることを特徴とするコンピュータプログラム。
【請求項１４】
撮像手段と、表示手段と、前記撮像手段へ電源を供給する撮像手段電源供給手段と、前記表示手段へ電源を供給する表示手段電源供給手段と、前記表示手段への供給電圧を検出する表示手段電圧検出手段とを具備し、撮像した画像のデータを記録媒体に記録する撮像装置を制御するコンピュータプログラムであって、
前記表示手段へのスルー画像表示が指示された場合には、前記表示手段電源供給手段による前記表示手段への電源供給開始後、前記表示手段電圧検出手段による電圧値が所定の電圧に達した後に、前記撮像手段電源供給手段による前記撮像手段への電源供給を開始し、前記表示手段電源供給手段による前記表示手段への電源供給開始後、予め定められた一定時間経過後に、前記表示手段へのスルー画像表示を開始する処理をコンピュータに実行させることを特徴とするコンピュータプログラム。
【請求項１５】
撮像手段と、表示手段と、前記撮像手段へ電源を供給する撮像手段電源供給手段と、前記表示手段へ電源を供給する表示手段電源供給手段とを具備し、撮像した画像のデータを記録媒体に記録する撮像装置を制御するコンピュータプログラムであって、
前記表示手段へのスルー画像表示が指示された場合には、前記表示手段電源供給手段による前記表示手段への電源供給開始後、予め定められた第１の一定時間経過後に、前記撮像手段電源供給手段による前記撮像手段への電源供給を開始し、前記表示手段電源供給手段による前記表示手段への電源供給開始後、予め定められた第２の一定時間経過後に、前記表示手段へのスルー画像表示を開始する処理をコンピュータに実行させることを特徴とするコンピュータプログラム。
【発明の詳細な説明】
【技術分野】
【０００１】
本発明は、撮像した画像のデータを記録媒体に記録する撮像装置、その制御方法、及びコンピュータプログラムに関する。
【背景技術】
【０００２】
従来、固体メモリ素子を有するメモリカードを記録媒体として、静止画像や動画像のデータを記録再生する電子カメラ等の撮像装置は既に市販されており、カラー液晶パネル等の表示装置を用いた電子ファインダを備えた電子カメラも販売されている。
【０００３】
これらの電子カメラによれば、撮影前の画像を連続して表示して電子カメラの使用者が構図を決定することや、撮影した画像を再生表示して確認することが可能である。特に、撮影した画像を撮影直後に再生する機能は利便性が高く、電子カメラの使用者にとって有益な機能となっている。
【０００４】
また、カラー液晶パネル等の電子ファインダを消して光学ファインダを用いて撮影した場合には、撮影画像を再生する時にのみ表示装置に電源を供給することにより、消費電力を削減することができ、撮影可能枚数を削減することなく、撮影画像の確認を行うことが可能となっている。
【０００５】
【特許文献１】特開平１１−２６１８５３号公報
【発明の開示】
【発明が解決しようとする課題】
【０００６】
このような従来の電子カメラ等の撮像装置においては、光学ファインダを用いて撮影した場合に、撮影直後に再生表示を行うために、表示装置に電源供給を開始し、再生画像を表示していた。しかしながら、表示装置によっては、電源供給を開始してから安定した表示を行うことができるようになるまでに一定の表示安定時間を要するものがある。そのような表示装置を用いた場合には、撮影終了後、再生画像が表示されるまでにタイムラグが発生してしまうという課題があった。
【０００７】
そこで、撮影終了後、速やかに再生画像を表示するために、画像を表示するタイミングよりも表示安定時間分前に表示装置に電源供給を開始しておくことが考えられるが、撮影期間中に表示装置への電源供給を開始すると、表示装置への電源供給時に大きな突入電流が流れ、撮像部に対して影響を与えてしまうおそれがある。すなわち、再生画像表示タイミングよりも表示安定期間分前であり、かつ、撮影期間中でないタイミングで表示装置への電源供給を開始する必要があった。
【０００８】
また、光学ファインダから電子ファインダに切替るタイミングにおいては、撮像部への電源供給を開始するとともに、表示装置への電源供給を開始する必要がある。しかしながら、撮像部への電源供給後に、表示装置への電源供給を開始すると、撮像部を起動してから、表示安定時間経過後に表示を開始する必要があり、光学ファインダから電子ファインダへの切替がスムーズに行われないという課題があった。
【０００９】
そこで、表示装置への電源供給開始を先に行い、すぐに撮像部への電源供給を開始することが考えられるが、表示装置への電源供給による突入電流が流れる期間と、撮像部への電源供給により突入電流が流れる期間が重なってしまいシステム全体に影響を及ぼしてしまうため、表示装置への電源供給による突入電流期間と、撮像部への電源供給による突入電流期間を避ける必要があった。
【００１０】
本発明は上記のような点に鑑みてなされたものであり、光学ファインダを用いた撮影時でも、撮影後に速やかに撮影画像を表示可能とすることを目的とする。また、光学ファインダから電子ファインダへスムーズに切替可能とすることを目的とする。
【課題を解決するための手段】
【００１１】
本発明の撮像装置は、撮像した画像のデータを記録媒体に記録する撮像装置であって、撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段と、前記表示手段への供給電圧を検出する表示手段電圧検出手段と、前記光学ファインダを用いた撮影が指示された場合には、前記表示手段電源供給手段による前記表示手段への電源供給開始後、前記表示手段電圧検出手段による電圧値が所定の電圧に達した後に、前記撮像手段による撮影処理を開始する制御手段とを備えた点に特徴を有する。
また、本発明の他の撮像装置は、撮像した画像のデータを記録媒体に記録する撮像装置であって、撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段と、前記光学ファインダを用いた撮影が指示された場合には、前記表示手段電源供給手段による前記表示手段への電源供給開始後、予め定められた一定時間経過後に、前記撮像手段による撮影処理を開始する制御手段とを備えた点に特徴を有する。
また、本発明の他の撮像装置は、撮像した画像のデータを記録媒体に記録する撮像装置であって、撮像手段と、表示手段と、前記撮像手段へ電源を供給する撮像手段電源供給手段と、前記表示手段へ電源を供給する表示手段電源供給手段と、前記表示手段への供給電圧を検出する表示手段電圧検出手段と、前記表示手段へのスルー画像表示が指示された場合には、前記表示手段電源供給手段による前記表示手段への電源供給開始後、前記表示手段電圧検出手段による電圧値が所定の電圧に達した後に、前記撮像手段電源供給手段による前記撮像手段への電源供給を開始し、前記表示手段電源供給手段による前記表示手段への電源供給開始後、予め定められた一定時間経過後に、前記表示手段へのスルー画像表示を開始する制御手段とを備えた点に特徴を有する。
また、本発明の他の撮像装置は、撮像した画像のデータを記録媒体に記録する撮像装置であって、撮像手段と、表示手段と、前記撮像手段へ電源を供給する撮像手段電源供給手段と、前記表示手段へ電源を供給する表示手段電源供給手段と、前記表示手段へのスルー画像表示が指示された場合には、前記表示手段電源供給手段による前記表示手段への電源供給開始後、予め定められた第１の一定時間経過後に、前記撮像手段電源供給手段による前記撮像手段への電源供給を開始し、前記表示手段電源供給手段による前記表示手段への電源供給開始後、予め定められた第２の一定時間経過後に、前記表示手段へのスルー画像表示を開始する制御手段とを備えた点に特徴を有する。
本発明の撮像装置の制御方法は、撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段と、前記表示手段への供給電圧を検出する表示手段電圧検出手段とを具備し、撮像した画像のデータを記録媒体に記録する撮像装置を制御する制御方法であって、前記光学ファインダを用いた撮影が指示された場合には、前記表示手段電源供給手段による前記表示手段への電源供給開始後、前記表示手段電圧検出手段による電圧値が所定の電圧に達した後に、前記撮像手段による撮影処理を開始する手順を有する点に特徴を有する。
また、本発明の他の撮像装置の制御方法は、撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段とを具備し、撮像した画像のデータを記録媒体に記録する撮像装置を制御する制御方法であって、前記光学ファインダを用いた撮影が指示された場合には、前記表示手段電源供給手段による前記表示手段への電源供給開始後、予め定められた一定時間経過後に、前記撮像手段による撮影処理を開始する手順を有する点に特徴を有する。
また、本発明の他の撮像装置の制御方法は、撮像手段と、表示手段と、前記撮像手段へ電源を供給する撮像手段電源供給手段と、前記表示手段へ電源を供給する表示手段電源供給手段と、前記表示手段への供給電圧を検出する表示手段電圧検出手段とを具備し、撮像した画像のデータを記録媒体に記録する撮像装置を制御する制御方法であって、前記表示手段へのスルー画像表示が指示された場合には、前記表示手段電源供給手段による前記表示手段への電源供給開始後、前記表示手段電圧検出手段による電圧値が所定の電圧に達した後に、前記撮像手段電源供給手段による前記撮像手段への電源供給を開始し、前記表示手段電源供給手段による前記表示手段への電源供給開始後、予め定められた一定時間経過後に、前記表示手段へのスルー画像表示を開始する手順を有する点に特徴を有する。
また、本発明の他の撮像装置の制御方法は、撮像手段と、表示手段と、前記撮像手段へ電源を供給する撮像手段電源供給手段と、前記表示手段へ電源を供給する表示手段電源供給手段とを具備し、撮像した画像のデータを記録媒体に記録する撮像装置を制御する制御方法であって、前記表示手段へのスルー画像表示が指示された場合には、前記表示手段電源供給手段による前記表示手段への電源供給開始後、予め定められた第１の一定時間経過後に、前記撮像手段電源供給手段による前記撮像手段への電源供給を開始し、前記表示手段電源供給手段による前記表示手段への電源供給開始後、予め定められた第２の一定時間経過後に、前記表示手段へのスルー画像表示を開始する手順を有する点に特徴を有する。
本発明のコンピュータプログラムは、撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段と、前記表示手段への供給電圧を検出する表示手段電圧検出手段とを具備し、撮像した画像のデータを記録媒体に記録する撮像装置を制御するコンピュータプログラムであって、前記光学ファインダを用いた撮影が指示された場合には、前記表示手段電源供給手段による前記表示手段への電源供給開始後、前記表示手段電圧検出手段による電圧値が所定の電圧に達した後に、前記撮像手段による撮影処理を開始する処理をコンピュータに実行させる点に特徴を有する。
また、本発明の他のコンピュータプログラムは、撮像手段と、メモリと、表示手段と、光学ファインダと、前記撮像手段の出力信号を前記メモリに記憶し、その直後に前記メモリに記憶した画像信号を再生して前記表示手段に表示する再生手段と、前記表示手段へ電源を供給する表示手段電源供給手段とを具備し、撮像した画像のデータを記録媒体に記録する撮像装置を制御するコンピュータプログラムであって、前記光学ファインダを用いた撮影が指示された場合には、前記表示手段電源供給手段による前記表示手段への電源供給開始後、予め定められた一定時間経過後に、前記撮像手段による撮影処理を開始する処理をコンピュータに実行させる点に特徴を有する。
また、本発明の他のコンピュータプログラムは、撮像手段と、表示手段と、前記撮像手段へ電源を供給する撮像手段電源供給手段と、前記表示手段へ電源を供給する表示手段電源供給手段と、前記表示手段への供給電圧を検出する表示手段電圧検出手段とを具備し、撮像した画像のデータを記録媒体に記録する撮像装置を制御するコンピュータプログラムであって、前記表示手段へのスルー画像表示が指示された場合には、前記表示手段電源供給手段による前記表示手段への電源供給開始後、前記表示手段電圧検出手段による電圧値が所定の電圧に達した後に、前記撮像手段電源供給手段による前記撮像手段への電源供給を開始し、前記表示手段電源供給手段による前記表示手段への電源供給開始後、予め定められた一定時間経過後に、前記表示手段へのスルー画像表示を開始する処理をコンピュータに実行させる点に特徴を有する。
また、本発明の他のコンピュータプログラムは、撮像手段と、表示手段と、前記撮像手段へ電源を供給する撮像手段電源供給手段と、前記表示手段へ電源を供給する表示手段電源供給手段とを具備し、撮像した画像のデータを記録媒体に記録する撮像装置を制御するコンピュータプログラムであって、前記表示手段へのスルー画像表示が指示された場合には、前記表示手段電源供給手段による前記表示手段への電源供給開始後、予め定められた第１の一定時間経過後に、前記撮像手段電源供給手段による前記撮像手段への電源供給を開始し、前記表示手段電源供給手段による前記表示手段への電源供給開始後、予め定められた第２の一定時間経過後に、前記表示手段へのスルー画像表示を開始する処理をコンピュータに実行させる点に特徴を有する。
【発明の効果】
【００１２】
本発明によれば、光学ファインダを用いた撮影時に、ユーザによる撮影指示から撮影開始までのタイムラグを大幅に伸ばすことなく、撮影後に速やかに撮影画像を表示させることが可能となる。また、光学ファインダから電子ファインダへの切替をスムーズに行うことが可能となる。
【発明を実施するための最良の形態】
【００１３】
以下、添付図面を参照して、本発明の好適な実施形態について説明する。
（第１の実施形態）
図１は、本発明を適用した撮像装置１００の構成例を示す図である。同図において、１０は撮影レンズ、１２は絞り機能を備えるシャッター、１４は光学像を電気信号に変換する撮像手段たる撮像素子１４、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いは、Ａ／Ｄ変換器１６のデータが直接メモリ制御回路２２を介して、画像表示メモリ２４或いはメモリ３０に書き込まれる。
【００１７】
２４は画像表示メモリ、２６はＤ／Ａ変換器、２８はＴＦＴ ＬＣＤ等からなる表示手段たる画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ/ＯＦＦすることが可能であり、表示をＯＦＦにした場合には撮像装置１００の電力消費を大幅に低減することができる。画像表示部２８は、回転可能なヒンジ部によって撮像装置１００本体と結合されており、自由な向き、角度を設定して電子ファインダ機能や再生表示機能、各種表示機能を使用することが可能である。また、画像表示部２８の表示部分を撮像装置１００に向けて格納することが可能であり、この場合は画像表示部開閉検知手段１０６により、格納状態を検知して画像表示部２８の表示動作を停止することができる。
【００１８】
３０は撮影した静止画像や動画像のデータを格納するためのメモリであり、所定枚数の静止画像や所定時間の動画像のデータを格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１９】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２０】
４０は絞り機能を備えるシャッター１２を制御する露光制御手段であり、フラッシュ４０４と連携することによりフラッシュ調光機能も有するものである。４２は撮影レンズ１０のフォーカシングを制御する測距制御手段である。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２１】
４４は撮影レンズ１０のズーミングを制御するズーム制御手段、４６はバリアである保護手段１０２の動作を制御するバリア制御手段である。
【００２２】
４８はコネクタであり、アクセサリーシューとも呼ばれ、フラッシュ装置４００との電気接点や機械的な固定手段も合わせて備えている。
【００２３】
５０は撮像装置１００全体を制御するシステム制御回路、５２はシステム制御回路５０の動作用の定数、変数、プログラム等を記憶するメモリである。
【００２４】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００２５】
また、表示部５４は、その一部の機能が光学ファインダ１０４内に設置されている。表示部５４の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ/Ｆ動作表示、日付け・時刻表示等がある。また、表示部５４の表示内容のうち、光学ファインダ１０４内に表示するものとしては、合焦表示、手振れ警告表示、フラッシュ充電表示、シャッタースピード表示、絞り値表示、露出補正表示等がある。
【００２６】
５６は電気的に消去・記録可能な不揮発性メモリであり、例えばＥＥＰＲＯＭ等が用いられる。
【００２７】
６０、６２、６４、６６、６８、７０、及び７１は、システム制御回路５０の各種の動作指示を入力するための操作手段であり、スイッチやダイアル、タッチパネル、視線検知によるポインティング、音声認識装置等の単数或いは複数の組み合わせで構成される。
【００２８】
６０はモードダイアルスイッチであり、電源オフ、自動撮影モード、撮影モード、パノラマ撮影モード、再生モード、マルチ画面再生・消去モード、ＰＣ接続モード等の各機能モードを切り替え設定することができる。
【００２９】
６２はシャッタースイッチSW1であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３０】
６４はシャッタースイッチSW2であり、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３１】
６６は画像表示ＯＮ/ＯＦＦスイッチであり、画像表示部２８のＯＮ/ＯＦＦを設定することができる。この機能により、光学ファインダ１０４を用いて撮影を行う際に、ＴＦＴ ＬＣＤ等からなる画像表示部２８への電流供給を遮断することにより、省電力を図ることが可能となる。
【００３２】
６８は単写/連写スイッチであり、シャッタースイッチSW2を押した場合に１駒の撮影を行って待機状態とする単写モードと、シャッタースイッチSW2を押している間は連続して撮影を行い続ける連写モードとを設定することができる。
【００３３】
７１はレビュースイッチであり、撮影直後に撮影画像を自動で再生するクイックレビュー機能のＯＮ／ＯＦＦを設定することができる。
【００３４】
７０は各種ボタンやタッチパネル等からなる操作部であり、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、パノラマモード等の撮影及び再生を実行する際に各種機能の選択及び切り替えを設定する選択/切り替えボタン、パノラマモード等の撮影及び再生を実行する際に各種機能の決定及び実行を設定する決定/実行ボタン、画像表示部２８のＯＮ/ＯＦＦを設定する画像表示ＯＮ/ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生モードスイッチ、撮影モード状態において、撮影した画像をメモリ３０或いは記録媒体２００或いは２１０から読み出して画像表示部２８によって表示する再生動作の開始を指示する再生スイッチ等がある。
【００３５】
８０は電源制御手段であり、電池検出回路、ＤＣ-ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ-ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源である。
【００３６】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００３７】
なお、図示例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標））カード等の規格に準拠したものを用いて構成して構わない。さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３８】
１０２は保護手段であり、撮像装置１００のレンズ１０を含む撮像部を覆うことにより、撮像部の汚れや破損を防止するバリアである。
【００３９】
１０４は光学ファインダであり、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等が設置されている。
【００４０】
１０６は画像表示部開閉検知手段であり、画像表示部２８が、画像表示部２８の表示部分を撮像装置１００に向けて格納した格納状態にあるかどうかを検知することができる。ここで、格納状態にあると検知したならば、画像表示部２８の表示動作を停止して不要な電力消費を禁止することが可能である。
【００４１】
１１０は通信手段であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信手段１１０により撮像装置１００を他の機器と接続するコネクタ或いは無線通信の場合はアンテナである。
【００４２】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００４３】
４００はフラッシュ装置である。４０２はコネクタであり、撮像装置１００のアクセサリーシューと接続する。４０４はフラッシュであり、ＡＦ補助光の投光機能、フラッシュ調光機能も有する。
【００４４】
以下、図２〜図１０を参照して、第１の実施形態の撮像装置１００での処理動作を説明する。図２〜図４は撮像装置１００での処理動作の主ルーチンを示すフローチャートである。電池交換等の電源投入により、システム制御回路５０はフラグや制御変数等を初期化し（ステップＳ１０１）、画像表示部２８の画像表示をＯＦＦ状態に初期設定する（ステップＳ１０２）。
【００４５】
システム制御回路５０は、モードダイアルスイッチ６０の設定位置を判断し、モードダイアルスイッチ６０が電源ＯＦＦに設定されていたならば（ステップＳ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む撮像装置１００各部の不要な電源を遮断する等の所定の終了処理を行った後（ステップＳ１０５）、ステップＳ１０３に戻る。モードダイアルスイッチ６０が撮影モードに設定されていたならば（ステップＳ１０３）、ステップＳ１０６に進む。モードダイアルスイッチ６０がその他のモードに設定されていたならば（ステップＳ１０３）、システム制御回路５０は選択されたモードに応じた処理を実行し（ステップＳ１０４）、処理を終えたならば、ステップＳ１０３に戻る。
【００４６】
撮影モードにおいて、システム制御回路５０は、電源制御手段８０により電池等により構成される電源８６の残容量や動作情況が撮像装置１００の動作に問題があるか否かを判断し（ステップＳ１０６）、問題があるならば表示部５４を用いて画像や音声により所定の警告表示を行った後に（ステップＳ１０８）、ステップＳ１０３に戻る。電源８６に問題が無いならば、システム制御回路５０は記録媒体２００或いは２１０の動作状態が撮像装置１００の動作、特に記録媒体に対する画像データの記録再生動作に問題があるか否かを判断し（ステップＳ１０７）、問題があるならば表示部５４を用いて画像や音声により所定の警告表示を行った後に（ステップＳ１０８）、ステップＳ１０３に戻る。記録媒体２００或いは２１０の動作状態に問題が無いならば（ステップＳ１０７）、ステップＳ１０９に進む。
【００４７】
システム制御回路５０は、単写撮影/連写撮影を設定する単写/連写スイッチ６８の設定状態を調べ（ステップＳ１０９）、単写撮影が選択されていたならば単写/連写フラグを単写に設定し（ステップＳ１１０）、連写撮影が選択されていたならば単写/連写フラグを連写に設定し（ステップＳ１１１）、単写/連写フラグの設定を終えたならば、ステップＳ１１２に進む。単写/連写スイッチ６８によれば、シャッタースイッチSW2を押した場合に１駒の撮影を行って待機状態とする単写モードと、シャッタースイッチSW2を押している間は連続して撮影を行い続ける連写モードとを任意に切り替えて設定切り替えすることができる。なお、単写/連写フラグの状態は、システム制御回路５０の内部メモリ或いはメモリ５２に記憶する。
【００４８】
システム制御回路５０は、表示部５４を用いて画像や音声により撮像装置１００の各種設定状態の表示を行う（ステップＳ１１２）。なお、画像表示部２８の画像表示がＯＮであったならば、画像表示部２８も用いて画像や音声により撮像装置１００の各種設定状態の表示を行う。
【００４９】
システム制御回路５０は、レビュースイッチ７１の設定状態を調べ（ステップＳ１１３）、レビューＯＮに設定されていたならば、画像表示部開閉検知手段１０６により、画像表示部２８が格納状態にあるか表示状態にあるかを判断し（ステップＳ１１４）、表示状態にあると判断したならば、レビューフラグを設定する（ステップＳ１１５）。画像表示部２８が格納状態にあると判断したならば、レビューフラグを解除する（ステップＳ１１６）。また、レビュースイッチ７１がレビューＯＦＦに設定されていたならば（ステップＳ１１３）、レビューフラグを解除する（ステップＳ１１６）。なお、レビューフラグの状態は、システム制御回路５０の内部メモリ或いはメモリ５２に記憶する。
【００５０】
続いて、システム制御回路５０は、画像表示ＯＮ/ＯＦＦスイッチ６６の設定状態を調べ（ステップＳ１１７）、画像表示ＯＮに設定されていたならば、ステップＳ１１８に進む。
【００５１】
さらに、システム制御回路５０は、画像表示部開閉検知手段１０６により画像表示部２８が格納状態にあるか表示状態にあるかを判断し（ステップＳ１１８）、表示状態にあると判断したならば、画像表示部２８の電源を投入する（ステップＳ１１９）。システム制御回路５０はタイマＴ２を設定し（ステップＳ１２０）、ステップＳ１２１において画像表示部２８への供給電圧を監視し（図１１のステップＳ６０１）、画像表示部２８への供給電圧が所定電圧Ｖに達したならば、撮像素子１４に電源を投入する（ステップＳ１２２）。
【００５２】
さらに、システム制御回路５０は、タイマＴ２満了後（ステップＳ１２３）に、画像表示フラグを設定し（ステップＳ１２４）、画像表示ＯＮ状態に設定し（ステップＳ１２５）、スルー画像表示を開始し（ステップＳ１２６）、図３のステップＳ１３１に進む。スルー表示状態においては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダ機能を実現している。
【００５３】
画像表示ＯＮ/ＯＦＦスイッチ６６が画像表示ＯＦＦに設定されていたならば（ステップＳ１１７）、或いは、画像表示部開閉検知手段１０６により画像表示部２８が格納状態にあると判断したならば（ステップＳ１１８）、画像表示ＯＦＦ状態に設定し（ステップＳ１２７）、画像表示フラグを解除し（ステップＳ１２８）、画像表示部２８への電源供給を停止するとともに（ステップＳ１２９）、撮像素子１４への電源供給を停止して（ステップＳ１３０）、図３のＳ１３１に進む。
【００５４】
画像表示ＯＦＦの場合は、画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。なお、画像表示フラグの状態は、システム制御回路５０の内部メモリ或いはメモリ５２に記憶する。
【００５５】
このように、画像表示ＯＦＦ状態から画像表示ＯＮ状態に遷移する際に、図９（ｂ）に示すように、画像表示部２８への電源供給を開始後、画像表示部２８への供給電圧が所定電圧に達した後に、撮像素子１４への電源供給を開始することにより、システム全体の電圧が一時的に大きく低下することを防止することができる。図９（ａ）には、撮像素子１４への電源供給を開始した後に、画像表示部２８への電源供給を開始した場合を示す。図９（ａ）、（ｂ）から分かるように、画像表示部２８における表示安定期間内（電源供給開始〜Ｔ２間）に撮像起動処理を行うことにより、画像表示ＯＦＦ状態から画像表示ＯＮ状態への遷移処理時間の短縮が可能となる。
【００５６】
シャッタースイッチSW1が押されていないならば（ステップＳ１３１）、図２のステップＳ１０３に戻る。シャッタースイッチSW1が押されたならば（ステップＳ１３１）、システム制御回路５０はシステム制御回路５０の内部メモリ或いはメモリ５２に記憶される画像表示フラグの状態を判断し（ステップＳ１３２）、画像表示フラグが設定されていたならば画像表示部２８の表示状態をフリーズ表示状態に設定して（ステップＳ１３３）、ステップＳ１３４に進む。画像表示フラグが設定されていない場合には、撮像素子１４の電源を投入する（ステップＳ１４４）。
【００５７】
フリーズ表示状態においては、撮像素子１４、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダに表示している。
【００５８】
画像表示フラグが解除されていたならば（ステップＳ１３２）、ステップＳ１３４に進む。システム制御回路５０は、測距処理を行って撮影レンズ１０の焦点を被写体に合わせ、測光処理を行って絞り値及びシャッター時間を決定する（ステップＳ１３４）。測光処理において、必要であればフラッシュの設定も行う。この測距・測光処理（ステップＳ１３４）の詳細は図５を用いて後述する。
【００５９】
測距・測光処理（ステップＳ１３４）を終えたならば、システム制御回路５０は、設定された撮影動作モードと測距・測光処理（ステップＳ１３４）において決定した露出結果から、設定すべきシャッター速度が機械シャッターの最高速側のシャッター秒時を超えているか否かを判断し（ステップＳ１３５）、超えていないならば機械シャッターでのシャッター秒時の設定を行い（ステップＳ１３６）、ステップＳ１３８に進む。超えているならば機械シャッターと電子シャッターを併用するシャッター秒時の設定を行い（ステップＳ１３７）、ステップＳ１３８に進む。
【００６０】
システム制御回路５０はシステム制御回路５０の内部メモリ或いはメモリ５２に記憶される画像表示フラグの状態を判断し（ステップＳ１３８）、画像表示フラグが設定されていたならば画像表示部２８の表示状態をスルー表示状態に設定して（ステップＳ１３９）、ステップＳ１４０に進む。
【００６１】
シャッタースイッチSW2が押されずに（ステップＳ１４０）、さらにシャッタースイッチSW1も解除されたならば（ステップＳ１４１）、画像表示フラグをチェックし（ステップＳ１４５）、画像表示フラグがＯＦＦならば、撮像素子１４への電源供給を停止し（ステップＳ１４６）、図２のステップＳ１０３に戻る。
【００６２】
シャッタースイッチSW2が押されたならば（ステップＳ１４０）、システム制御回路５０はシステム制御回路５０の内部メモリ或いはメモリ５２に記憶される画像表示フラグの状態を判断し（ステップＳ１４２）、画像表示フラグが設定されていたならば画像表示部２８の表示状態を固定色表示状態に設定して（ステップＳ１４３）、図４のステップＳ１６１に進む。固定色表示状態においては、撮像素子１４、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダに表示している。
【００６３】
画像表示フラグが解除されていたならば（ステップＳ１４２）、図４のステップＳ１６１に進む。
【００６４】
システム制御回路５０はシステム制御回路５０の内部メモリ或いはメモリ５２に記憶されるレビューフラグの状態を判断し（ステップＳ１６１）、レビューＯＮ設定されていたならばステップＳ１６２に、レビューＯＦＦならばステップＳ１６５に進む。
【００６５】
システム制御回路５０はシステム制御回路５０の内部メモリ或いはメモリ５２に記憶される画像表示フラグの状態を判断し（ステップＳ１６２）、画像表示フラグがＯＮであれば、ステップＳ１６５に進む。画像表示フラグがＯＦＦであれば、画像表示部２８への電源を投入し（ステップＳ１６３）、ステップＳ１６４において画像表示部２８への供給電圧が所定電圧Ｖに達した後に（図１１のステップＳ６０１）後に、ステップＳ１６５に進む。
【００６６】
システム制御回路５０は、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（ステップＳ１６５）。この撮影処理（ステップＳ１６５）の詳細は図６を用いて後述する。
【００６７】
システム制御回路５０は、シャッター１２を閉じた状態で撮像素子１４の暗電流等のノイズ成分を本撮影と同じ時間蓄積し、蓄積を終えたノイズ画像信号を読み出すダーク取り込み処理を行い（ステップＳ１６６）、ステップＳ１６７に進む。このダーク取り込み処理で取り込んだダーク画像データを用いて補正演算処理を行うことにより、撮像素子１４の発生する暗電流ノイズや撮像素子１４固有のキズによる画素欠損等の画質劣化に関して、撮影した画像データを補正することができる。このダーク取り込み処理（ステップＳ１６６）の詳細は図７を用いて後述する。
【００６８】
システム制御回路５０は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行い、演算結果をシステム制御回路５０の内部メモリ或いはメモリ５２に記憶する。
【００６９】
そして、システム制御回路５０は、メモリ制御回路２２そして必要に応じて画像処理回路２０を用いて、メモリ３０の所定領域に書き込まれた撮影画像データを読み出して、システム制御回路５０の内部メモリ或いはメモリ５２に記憶した演算結果を用いて、ＡＷＢ（オートホワイトバランス）処理、ガンマ変換処理、色変換処理を含む各種現像処理を行う（ステップＳ１６７）。さらに、現像処理においては、ダーク取り込み処理（ステップＳ１６６）において取り込んだダーク画像データを用いて減算処理を行うことにより、撮像素子１４の暗電流ノイズ等を打ち消すダーク補正演算処理も併せて行う。この現像処理（ステップＳ１６７）の詳細は図８を用いて後述する。
【００７０】
そして、システム制御回路５０は、メモリ３０の所定領域に書き込まれた画像データを読み出して、設定したモードに応じた画像圧縮処理を圧縮・伸長回路３２により行い（ステップＳ１６８）、メモリ３０の画像記憶バッファ領域の空き画像部分に、撮影して一連の処理を終えた画像データの書き込みを行う。
【００７１】
システム制御回路５０は、メモリ３０の画像記憶バッファ領域に記憶した画像データを読み出して、インタフェース９０或いは９４、コネクタ９２或いは９６を介して、メモリカードやコンパクトフラッシュ（登録商標）カード等の記録媒体２００或いは２１０へ書き込みを行う記録処理を行う（ステップＳ１６９、Ｓ１７０）。なお、記録媒体２００或いは２１０へ画像データの書き込みを行っている間、書き込み動作中であることを明示するために、表示部５４において例えばＬＥＤを点滅させる等の記録媒体書き込み動作表示を行う。
【００７２】
システム制御回路５０は、システム制御回路５０の内部メモリ或いはメモリ５２に記憶されるレビューフラグの状態を判断し（ステップＳ１７２）、レビューフラグが設定されていたならば、メモリ３０から画像表示部２８の表示形式に合わせて処理を行った画像データを読み出し、メモリ制御回路２２を介して画像表示メモリ２４に表示画像データの転送を行い、画像表示メモリ２４から読み出した表示画像データを画像表示部２８に表示するクイックレビュー表示を行う（ステップＳ１７３）。
【００７３】
このように、光学ファインダを用いて撮影・クイックレビューを行う際に、図１０（ｂ）に示すように、画像表示部２８への電源供給後、画像表示部２８への供給電圧が所定電圧Ｖに達した後に、撮影処理を開始することにより、撮影後に画像表示部２８に電源投入を行った場合（図１０（ａ））と比較して、撮影完了〜クイックレビュー画像が表示されるまでの期間が、画像表示部２８における表示安定時間分短縮される。また、撮影処理中に画像表示部２８への電源供給を開始すると、撮像部１４への供給電圧が低下してしまうが、撮影処理を開始する前に、画像表示部２８への電源供給を開始し、突入期間を避けることにより、撮像部１４への影響を与えることなく、かつ、撮影後のクイックレビュー表示を高速に行うことが可能となる。
【００７４】
システム制御回路５０は、シャッタースイッチSW2が押されていたら（ステップＳ１７４）、ステップＳ１７５に進む。システム制御回路５０はシステム制御回路５０の内部メモリ或いはメモリ５２に記憶されるレビューフラグの状態を判断し（ステップＳ１７５）、連写であればステップＳ１６５に進み、再度撮影処理を行う。このとき、画像表示部２８の電源は既にＯＮされている状態であるので、連写の２枚目以降では、画像表示部２８の電源ＯＮ処理を行う必要はない。
【００７５】
システム制御回路５０は、シャッタースイッチSW2が離されていたら（ステップＳ１７４）、ステップＳ１７６に進み、レビュー表示時間が最小レビュー表示時間を超えたら（ステップＳ１７６）、ステップＳ１７７に進む。システム制御回路５０はシステム制御回路５０の内部メモリ或いはメモリ５２に記憶される画像表示フラグの状態を判断し（ステップＳ１７７）、画像表示フラグが設定されていたならば、スルー画像表示を開始し（ステップＳ１７８）、ステップＳ１８１に進む。画像表意フラグが設定されていなければ、画像表示をＯＦＦ状態にし（ステップＳ１７９）、画像表示部２８への電源供給を停止し（ステップＳ１８０）、ステップＳ１８１に進む。
【００７６】
システム制御回路５０は、シャッタースイッチSW1が押されていれば（ステップＳ１８１）、図３のステップＳ１４０に進む。シャッタースイッチSW1が離されていたら、システム制御回路５０の内部メモリ或いはメモリ５２に記憶される画像表示フラグの状態を判断し（ステップＳ１８２）、画像表示フラグが設定されていなければ撮像素子１４への電源供給を停止し（ステップＳ１８３）、図２のステップＳ１０３に進む。
【００７７】
図５には、図３のステップＳ１３４における測距・測光処理の詳細なフローチャートを示す。システム制御回路５０は、撮像素子１４から電荷信号を読み出し、Ａ／Ｄ変換器１６を介して画像処理回路２０に撮影画像データを逐次読み込む（ステップＳ２０１）。この逐次読み込まれた画像データを用いて、画像処理回路２０はＴＴＬ方式のＡＥ（自動露出）処理、ＥＦ（フラッシュプリ発光）処理、ＡＦ（オートフォーカス）処理に用いる所定の演算を行っている。なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００７８】
画像処理回路２０での演算結果を用いて、システム制御回路５０は露出（ＡＥ）が適正と判断されるまで（ステップＳ２０２）、露光制御手段４０を用いてＡＥ制御を行う（ステップＳ２０３）。ＡＥ制御で得られた測定データを用いて、システム制御回路５０はフラッシュが必要か否かを判断し（ステップＳ２０４）、フラッシュが必要ならばフラッシュフラグをセットし、フラッシュ４０４を充電する（ステップＳ２０５）。露出（ＡＥ）が適正と判断したならば（ステップＳ２０２）、測定データ及び或いは設定パラメータをシステム制御回路５０の内部メモリ或いはメモリ５２に記憶する。
【００７９】
画像処理回路２０での演算結果及びＡＥ制御で得られた測定データを用いて、システム制御回路５０はホワイトバランス（ＡＷＢ）が適正と判断されるまで（ステップＳ２０６）、画像処理回路２０を用いて色処理のパラメータを調節してＡＷＢ制御を行う（ステップＳ２０７）。ホワイトバランス（ＡＷＢ）が適正と判断したならば（ステップＳ２０６）、測定データ及び或いは設定パラメータをシステム制御回路５０の内部メモリ或いはメモリ５２に記憶する。
【００８０】
ＡＥ制御及びＡＷＢ制御で得られた測定データを用いて、システム制御回路５０は測距（ＡＦ）が合焦と判断されるまで（ステップＳ２０８）、測距制御手段４２を用いてＡＦ制御を行う（ステップＳ２０９）。測距（ＡＦ）が合焦と判断したならば（ステップＳ２０８）、測定データ及び或いは設定パラメータをシステム制御回路５０の内部メモリ或いはメモリ５２に記憶し、測距・測光処理ルーチン（ステップＳ１３４）を終了する。
【００８１】
図６には、図４のステップＳ１６５における撮影処理の詳細なフローチャートを示す。システム制御回路５０は、撮像素子１４の電荷クリア動作を行った後に（ステップＳ３０１）、撮像素子１４の電荷蓄積を開始した後（ステップＳ３０２）、シャッター制御手段４０によってシャッター１２を開き（ステップＳ３０３）、撮像素子１４の露光を開始する（ステップＳ３０４）。
【００８２】
ここで、フラッシュフラグによりフラッシュが必要か否かを判断し（ステップＳ３０５）、必要な場合はフラッシュ４０４を発光させる（ステップＳ３０６）。なお、フラッシュ４０４が使用不可能な場合は、ステップＳ３０７に進む。
【００８３】
システム制御回路５０は、測光データに従って撮像素子１４の露光終了を待ち（ステップＳ３０７）、シャッター制御手段４０によってシャッター１２を閉じ（ステップＳ３０８）、撮像素子１４の露光を終了する。
【００８４】
設定した電荷蓄積時間が経過したならば（ステップＳ３０９）、システム制御回路５０は、撮像素子１４の電荷蓄積を終了した後（ステップＳ３１０）、撮像素子１４から電荷信号を読み出し、Ａ／Ｄ変換器１６、画像処理回路２０、メモリ制御回路２２を介して、或いは、Ａ／Ｄ変換器１６から直接メモリ制御回路２２を介して、メモリ３０の所定領域への撮影画像データを書き込む（ステップＳ３１１）。一連の処理を終えたならば、撮影処理ルーチン（ステップＳ１６５）を終了する。
【００８５】
図７には、図４のステップＳ１６６におけるダーク取り込み処理の詳細なフローチャートを示す。システム制御回路５０は、撮像素子１４の電荷クリア動作を行った後に（ステップＳ４０１）、シャッター１２が閉じた状態で、撮像素子１４の電荷蓄積を開始する（ステップＳ４０２）。
【００８６】
設定した所定の電荷蓄積時間が経過したならば（ステップＳ４０３）、システム制御回路５０は、撮像素子１４の電荷蓄積を終了した後（ステップＳ４０４）、撮像素子１４から電荷信号を読み出し、Ａ／Ｄ変換器１６、画像処理回路２０、メモリ制御回路２２を介して、或いは、Ａ／Ｄ変換器１６から直接メモリ制御回路２２を介して、メモリ３０の所定領域への画像データ（ダーク画像データ）を書き込む（ステップＳ４０５）。
【００８７】
このダーク取り込みデータを用いて現像処理を行うことにより、撮像素子１４の発生する暗電流ノイズや撮像素子１４固有のキズによる画素欠損等の画質劣化に関して、撮影した画像データを補正することができる。
【００８８】
なお、このダーク画像データは、新たにダーク取り込み処理が行われるか、撮像装置１００の電源がＯＦＦされるまで、メモリ３０の所定領域に保持される。或いは、メモリ３０の一部或いは全部をＥＥＰＲＯＭやハードディスク等の不揮発性メモリからなる構成として、ダーク画像データを不揮発性メモリに書き込むようにしたならば、新たにダーク取り込み処理が行われるまで、このダーク画像データは不揮発性メモリの所定領域に保持される。そして、このダーク画像データは、この後、撮影処理が実行されて、そこで撮影した画像データを撮像素子１４より読み出して、現像処理を行う際に用いられる。一連の処理を終えたならば、ダーク取り込み処理ルーチン（ステップＳ１６６）を終了する。
【００８９】
図８には、図４のステップＳ１６７における現像処理の詳細なフローチャートを示す。システム制御回路５０は、メモリ３０に書き込まれた撮影画像データ及びダーク画像データを読み出して、輝度信号処理（ステップＳ５０１）や色処理（ステップＳ５０２）、サムネイル画像処理（ステップＳ５０３）を順次行った後、メモリ３０に処理を終えた画像データを書き込む。一連の処理を終えたならば、現像処理ルーチン（ステップＳ１６７）を終了する。
【００９０】
（第２の実施形態）
以下、第２の実施形態について説明する。撮像装置１００での処理動作の主ルーチン（図２〜図４）及び測距・測光処理、撮影処理、ダーク取り込み処理、現像処理（図５〜図８）は、上記第１の実施形態と同じであり、図１２に示すように、画像表示部２８への電源供給判定処理（ステップＳ１２１及びステップＳ１６４）を変更したものである。
【００９１】
システム制御回路５０は、画像表示部開閉検知手段１０６により画像表示部２８が格納状態にあるか表示状態にあるかを判断し（ステップＳ１１８）、表示状態にあると判断したならば、画像表示部２８の電源を投入する（ステップＳ１１９）。システム制御回路５０はタイマＴ２を設定する（ステップＳ１２０）。さらにステップＳ１２１において、タイマＴ１（＜Ｔ２）を設定し（図１２のステップＳ７０１）、タイマＴ１満了後に（図１２のステップＳ７０２）、撮像素子１４に電源を投入する（ステップＳ１２２）。
【００９２】
さらに、システム制御回路５０は、タイマＴ２満了後（ステップＳ１２３）に、画像表示フラグを設定し（ステップＳ１２４）、画像表示ＯＮ状態に設定し（ステップＳ１２５）、スルー画像表示を開始し（ステップＳ１２６）、ステップＳ１３１に進む。
【００９３】
このように、画像表示ＯＦＦ状態から画像表示ＯＮ状態に遷移する際に、図９（ｂ）に示すように、画像表示部２８への電源供給を開始後、画像表示部２８への供給電圧が所定電圧に達するのに十分は所定時間（Ｔ１）後に、撮像素子１４への電源供給を開始することにより、システム全体の電圧が一時的に大きく低下することを防止することができる。図９（ａ）には、撮像素子１４への電源供給を開始した後に、画像表示部２８への電源供給を開始した場合を示す。図９（ａ）、（ｂ）から分かるように、画像表示部２８における表示安定期間内（電源供給開始〜Ｔ２間）に撮像起動処理を行うことにより、画像表示ＯＦＦ状態から画像表示ＯＮ状態への遷移処理時間の短縮が可能となる。
【００９４】
また、システム制御回路５０はシステム制御回路５０の内部メモリ或いはメモリ５２に記憶されるレビューフラグの状態を判断し（ステップＳ１６１）、レビューＯＮ設定されていたならばステップＳ１６２に、レビューＯＦＦならばステップＳ１６５に進む。
【００９５】
システム制御回路５０はシステム制御回路５０の内部メモリ或いはメモリ５２に記憶される画像表示フラグの状態を判断し（ステップＳ１６２）、画像表示フラグがＯＮであれば、ステップＳ１６５に進む。画像表示フラグがＯＦＦであれば、画像表示部２８への電源を投入し（ステップＳ１６３）、ステップＳ１６４においてタイマＴ１を設定し（図１２のステップＳ７０１）、タイマＴ１満了後に（図１２のステップＳ７０２）、ステップＳ１６５に進む。
【００９６】
なお、上記実施形態の説明においては、画像表示部２８への電源投入をシステムのバッテリーが低い場合には、撮影後に行う等して、場合によっては省電力を優先させることができる。
【００９７】
本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００９８】
この場合、記憶媒体から読み出されたプログラムコード自体が上述した実施形態の機能を実現することになり、プログラムコード自体及びそのプログラムコードを記憶した記憶媒体は本発明を構成することになる。
【００９９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１００】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【０１０１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【０１０２】
【図１】本発明を適用した撮像装置の構成例を示す図である。
【図２】撮像装置での処理動作の主ルーチンを示すフローチャートである。
【図３】撮像装置での処理動作の主ルーチンを示すフローチャートである。
【図４】撮像装置での処理動作の主ルーチンを示すフローチャートである。
【図５】測距・測光処理を示すフローチャートである。
【図６】撮影処理を示すフローチャートである。
【図７】ダーク取り込み処理を示すフローチャートである。
【図８】現像処理を示すフローチャートである。
【図９】画像表示部への電源供給と撮像素子への電源供給のタイミングによる差を示す図であり、（ａ）が撮像電源投入後に表示電源投入の場合を示す図、（ｂ）が表示電源投入後に撮像電源投入の場合（実施形態）を示す図である。
【図１０】画像表示部への電源供給と撮像素子への電源供給のタイミングによる差を示す図であり、（ａ）が撮像電源投入後に表示電源投入の場合を示す図、（ｂ）が表示電源投入後に撮像電源投入の場合（実施形態）を示す図である。
【図１１】第１の実施形態における画像表示部への電源供給判定処理を示すフローチャートである。
【図１２】第２の実施形態における画像表示部への電源供給判定処理を示すフローチャートである。
【符号の説明】
【０１０３】
１０：撮影レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部
３０：メモリ
３２：圧縮・伸長回路
４０：露光制御手段
４２：測距制御手段
４４：ズーム制御手段
４６：バリア制御手段
４８：コネクタ（アクセサリーシュー）
５０：システム制御回路
５２：メモリ
５４：表示部
５６：不揮発性メモリ
６０：モードダイアルスイッチ
６２：シャッタースイッチSW1
６４：シャッタースイッチSW2
６６：画像表示ＯＮ/ＯＦＦ
６８：単写/連写スイッチ
７０：操作部
７１：レビュースイッチ
８０：電源制御手段
８２：コネクタ
８４：コネクタ
８６：電源
９０：インタフェース
９２：コネクタ
９４：インタフェース
９６：コネクタ
９８：記録媒体着脱検知手段
１００：撮像装置
１０２：保護手段
１０４：光学ファインダ
１０６：画像表示部開閉検知手段
１１０：通信手段
１１２：コネクタ（又はアンテナ）
２００：記録媒体
２０２：記録部
２０４：インタフェース
２０６：コネクタ
２１０：記録媒体
２１２：記録部
２１４：インタフェース
２１６：コネクタ
４００：フラッシュ装置
４０２：コネクタ
４０４：フラッシュ
【図１】
2006109273.tif 000003
【図２】
2006109273.tif 000004
【図３】
2006109273.tif 000005
【図４】
2006109273.tif 000006
【図５】
2006109273.tif 000007
【図６】
2006109273.tif 000008
【図７】
2006109273.tif 000009
【図８】
2006109273.tif 000010
【図９】
2006109273.tif 000011
【図１０】
2006109273.tif 000012
【図１１】
2006109273.tif 000013
【図１２】
2006109273.tif 000014